(57)【要約】【課題】内容液の粘度にかかわりなく、袋状容器から内容液を容器内に、容易且つ速やかにその全量を詰め替え出来る注出容器及びその詰替用の袋状容器を提供する。【解決手段】容器２とその口部３に装着する注出キャップ４とからなり、注出キャップ４は、口部３に装着させる注出キャップ部と、この上に立設して上蓋を兼ねる計量キャップを装着する外環壁と、この内側に位置し注出キャップ部に仕切壁を隔て設けた注出筒９とを有し、注出筒９は、好ましくは、その横断面形状を頂角が６０度未満で両底角が６０度超えの二等辺三角形の砲弾形状とし、且つ注出筒９の端部形状は頂角を頂点とし外側に湾曲させた状態で傾斜させて形成し、注出筒９に袋状容器１２の開口部１３を被せ装着して、両底角により袋状容器１２をロックして抜けずらくすることで、内容液４５の粘度が高くても袋状容器１２から容器２内に、容易且つ速やかにその全量を詰め替え出来る。【選択図】図８
2007191190.tif 000002
【特許請求の範囲】
【請求項１】
容器の口部に装着する注出キャップ部と、該注出キャップ部上に立設して上蓋を兼ねる計量キャップを装着する外環壁と、該外環壁内側に位置し前記注出キャップ部に仕切壁を隔て設けた注出筒とを有してなる注出容器において、前記注出筒はその横断面形状を
頂角と両底角からなる二等辺三角形を基本形状とする砲弾形状とし、且つ前記注出筒の端部形状は前記頂角を頂点とし外側に湾曲させた状態で傾斜させて形成してなることを特徴とする注出容器。
【請求項２】
前記注出筒はその横断面形状における両二等辺に位置する筒壁に前記詰替用の袋状容器の装着深さを規制するストッパーを有している請求項１記載の注出容器。
【請求項３】
前記注出筒に連なる前記仕切壁に複数の孔を設け、前記仕切壁内外に流体を流通自在にした請求項１または２項記載の記載の注出容器。
【請求項４】
前記複数の孔は、前記注出筒の頂角側から両底角側に前記容器のある方向に傾斜させてなる仕切壁に、これの最深部から最浅部にかけ分散させて設けた請求項１ないし３のいずれか１項記載の注出容器。
【請求項５】
前記頂角が６０度未満であり、前記両底角が６０度超である請求項１ないし４のいずれか１項記載の記載の注出容器。
【請求項６】
請求項１ないし５のいずれか１項記載の注出容器に対する詰替用の袋状容器であって、該袋状容器の開口部の内周長さは前記注出容器の注出筒の外周長さより大であることを特徴とする詰替用の袋状容器。
【請求項７】
前記袋状容器の開口部に開封用タブを設けた請求項６記載の詰替用の袋状容器。
【請求項８】
前記開封用タブに隣接し且つ内容物の収容側に位置する前記開口部に、前記注出容器の注出筒に挿入を支援するための挿入用タブを設けた請求項６または７記載の詰替用の袋状容器。
【発明の詳細な説明】
【技術分野】
【０００１】
本発明は、洗剤、柔軟剤、漂白剤、入浴剤などの主として液状の内容液を収容する容器に装着する注出キャップを備えた注出容器並びに内容液を消費した後の詰替用の袋状容器に関するものであり、より詳しくは、内容液の詰め替え時に、注出キャップと詰替用の袋状容器との係合を液漏れのない状態に容易に保持出来るようにした注出容器及びその詰替用の袋状容器に関する。
【背景技術】
【０００２】
洗剤などの内容液を収容する容器は、液だれを極力抑えるために、その口部に注出筒を有した注出キャップが装着され、さらに、この注出キャップには、通常、蓋を兼ねた計量キャップが装着されている。そして、容器の内容液は、計量キャップにより計量されてから消費されるようになっており、内容液が無くなれば、通常、詰替用の袋状容器から該容器に内容液を詰め替えることがおこなわれる。これは、容器に内容液を詰め替えれば、容器、注出キャップ及び計量キャップを何度でも使用することが可能であり、その上、詰替用の袋状容器の方が廃棄ゴミを少しでも減らし且つ安価であることによる。このように、容器に詰替用の袋状容器から内容液を詰め替える技術として、下記に示すものが知られている。
【０００３】
特許文献１の技術は、図９に示すように、容器ａの口部ｂに注出キャップｃを装着してあり、この注出キャップｃは、キャップ部ｄ上に立設して計量キャップを装着する外環壁ｅと、この外環壁ｅ内側に位置しキャップ部ｄに仕切壁を隔て設けた注出筒ｆとを有してなり、外環壁ｅ上面に詰替用の袋状容器ｇの位置決め用の切欠を設けている。そして、容器ａに袋状容器ｇの洗剤などの内容液を詰め替えるには、まず、正立状態の袋状容器ｇを開封し、開口注出口ｈを形成し、その開口注出口ｈに容器ａの口部ｂに装着された注出キャップｃの注出筒ｆを、その切欠にて位置決めして差し込み、その状態で容器ａを正立状態に、袋状容器ｇを倒立状態となるように回転させ、袋状容器ｇの内容液を注出筒ｆを通して容器ａ内に詰め替えるものである。
【０００４】
特許文献２の技術は、図１０に示すように、容器ａの口部ｂに注出キャップｃを装着して、さらに注出キャップｃに計量キャップｉを装着しこの計量キャップｉに補助注出部材ｊを装着してある。そして、容器ａに詰替用の袋状容器の洗剤などの内容液を詰め替えるには、まず、正立状態の容器ａの口部ｂから計量キャップｉと共に補助注出部材ｊを外して、さらに計量キャップｉから補助注出部材ｊを外す。一方、正立状態の袋状容器を開封し開口注出口を形成し、その開口注出口に補助注出部材ｊを嵌め、この補助注出部材ｊから注出キャップｃを通して、あるいは直接口部ｂより袋状容器の内容液を容器ａ内に注いで詰め替えるものである。
【０００５】
特許文献３の技術は、図１１に示すように、容器の口部に注出キャップｃを装着し、この注出キャップｃはキャップ部ｄ上に立設して計量キャップを装着する外環壁ｅと、キャップ部ｄに仕切壁ｋを隔て設けた注出筒ｆとを有してなり、この注出筒ｆの側壁に内外を連通するスリットｍを設け、内容液の粘度によりこのスリットｍの幅を下側ｍ１より上側ｍ２の方が広くなるように段階的に形成したものである。そして、容器に詰替用の袋状容器の洗剤などの内容液を詰め替えるには、注出筒ｆの幅広の上側スリットｍ２に開封した袋状容器の開口注出口を挿入して、容器に内容液を注ぎ込むものである。
【０００６】
特許文献４の技術は、図１２に示すように、容器ａの口部ｂにネジｎを螺刻し、同じように詰替用の袋状容器ｇの開口注出口にも螺合するネジｏを螺刻して、さらに袋状容器ｇの底にエアー抜きシールｐを貼着してある。そして、容器ａに袋状容器ｇの洗剤などの内容液を詰め替えるには、容器ａの口部ｂに袋状容器ｇの開口注出口をネジ接合し、容器ａを正立状態に袋状容器ｇを倒立状態にしてから、エアー抜きシールｐを剥がし容器ａに袋状容器ｇの内容液を注ぎ込むものである。
【０００７】
【特許文献１】特開平１１−２３６０６８号公報
【特許文献２】特開２０００−１９１００７号公報
【特許文献３】特開２００１−３５４２５３号公報
【特許文献４】特開２００４−１６１２９３号公報
【発明の開示】
【発明が解決しようとする課題】
【０００８】
ところが、特許文献１の技術は、容器ａに袋状容器ｇの内容液を詰め替えるのに、正立状態の袋状容器ｇの開口注出口ｈに注出キャップｃの注出筒ｆを差し込むものであるから、容器ａは倒立状態となり、容器２に内容液が少量でも残っていると、余程素速く差し込まない限り内容液がこぼれ出て、周囲を汚してしまうという虞がある。
【０００９】
また、特許文献２の技術は、正立状態の袋状容器の開口注出口に補助注出部材ｊを嵌めて、この補助注出部材ｊから袋状容器の内容液を容器ａに注ぐから、多少詰め替えやすくなるという有利さはあるものの、計量キャップｉから補助注出部材ｊを外し開口注出口に嵌める作業があるため、補助注出部材ｊを紛失する虞もあり、なおかつ、注出キャップｃあるいは口部ｂに補助注出部材ｊを当てて内容液を容器ａに注ぐから、特に高齢者では手ぶれにより内容液をこぼす虞がある。
【００１０】
また、特許文献３の技術は、高粘度の内容液を注出キャップｃから溢れさすことなく、注出キャップｃを通じて容器に注ぎ込み詰め替えるものであるが、手ぶれなどにより内容液をこぼすことなく、容器ａに袋状容器の内容液を容易に詰め替え得るものではない。
【００１１】
さらに、特許文献４の技術は、容器ａの口部ｂに袋状容器ｇの開口注出口をネジ接合する作業過程で、袋状容器ｇ内に空気が入り易く内容液と置換して、内容液が外部にこぼれ出る虞がある。
【００１２】
以上のように、従来知られた詰め替え可能な注出容器は、それぞれ詰め替え時の係合状態が不十分であるという不都合がある。
そこで、本発明の目的は、内容液の粘度にかかわりなく、詰替用の袋状容器から内容液を容器内に詰め替える際、内容液をこぼすことなく、容易且つ速やかにその全量を詰め替えることが出来る注出容器及びその詰替用の袋状容器を提供することにある。
【課題を解決するための手段】
【００１３】
本発明は、上記目的を達成するために提案されたものであって、下記の構成からなることを特徴とするものである。
すなわち、本発明によれば、容器の口部に装着する注出キャップ部と、該注出キャップ部上に立設して上蓋を兼ねる計量キャップを装着する外環壁と、該外環壁内側に位置し前記注出キャップ部に仕切壁を隔て設けた注出筒とを有してなる注出容器において、前記注出筒はその横断面形状を頂角と両底角からなる二等辺三角形を基本形状とする砲弾形状とし、且つ前記注出筒の端部形状は前記頂角を頂点とし外側に湾曲させた状態で傾斜させて形成してなることを特徴とする注出容器が提供される。
【００１４】
また、本発明によれば、前記注出筒はその横断面形状における両二等辺に位置する筒壁に前記詰替用の袋状容器の装着深さを規制するストッパーを有している注出容器が提供される。
【００１５】
また、本発明によれば、前記注出筒に連なる前記仕切壁に複数の孔を設け、前記仕切壁内外に流体を流通自在にした注出容器が提供される。
【００１６】
また、本発明によれば、前記複数の孔は、前記注出筒の頂角側から両底角側に前記容器のある方向に傾斜させてなる仕切壁に、これの最深部から最浅部にかけ分散させて設けた注出容器が提供される。
【００１７】
前記頂角が６０度未満であり、前記両底角が６０度超である上記注出容器が提供される。
【００１８】
また、本発明によれば、前記注出容器に対する詰替用の袋状容器であって、該袋状容器の開口部の内周長さは前記注出容器の注出筒の外周長さより大である詰替用の袋状容器が提供される。
【００１９】
また、本発明によれば、前記袋状容器の開口部に開封用タブを設けた上記詰替用の袋状容器が提供される。
【００２０】
また、本発明によれば、前記開封用タブに隣接し且つ内容物の収容側に位置する前記開口部に、前記注出容器の注出筒に挿入を支援するための挿入用タブを設けた詰替用の袋状容器が提供される。
【発明の効果】
【００２１】
本発明の容器は、注出容器の注出筒に、これを覆うように開封した後の詰替用の袋状容器の開口部を差し込むと、頂角により開口部を押し開いて行き、覆うような状態で注出筒に開口部を装着することになり、その際、両底角により開口部をロックすることになって抜けずづらく、且つ注出筒の外側に湾曲した端部形状により液漏れしづらくなって、注出容器に袋状容器の内容液を注ぎ込み詰め替えることが出来る。したがって、内容液の粘度にかかわりなく、袋状容器から内容液を注出容器に詰め替える過程で、内容液をこぼすことなく、容易且つ速やかにその全量を詰め替えできる効果がある。
【００２２】
また、請求項２に規定した本発明の容器は、注出容器の注出筒に詰替用の袋状容器の開口部にて覆うような状態で装着する際、注出筒の筒壁のストッパーにより装着深さを規制して、袋状容器の内容液残量を減らし、ストッパーを動支点として袋状容器を揺動させながら、残った内容液をスムーズに排出することができる。したがって、上記効果に加えて、注出容器に袋状容器の内容液を残さず詰め替えできる効果がある。
【００２３】
また、請求項３に規定した本発明の容器は、注出容器に詰替用の袋状容器の内容液を注ぎ込み詰め替える過程で、仕切壁の複数の孔により注出容器内の空気が置換して内容液が流入するように構成されている。その一方で、詰替過程で注出容器の外環壁内の仕切壁上に内容液がこぼれ溜まっても、複数の孔から注出容器内に流入するため、上記効果に加えて、注出容器に内容液をスムーズに詰め替えでき、その詰替過程で内容液が外部にこぼれることがないという効果がある。
【００２４】
また、請求項４に規定した本発明の容器は、複数の孔が傾斜した仕切壁の最深部から最浅部にかけて分散しているため、詰替過程で注出容器の仕切壁上にこぼれ溜まった内容液により、全ての孔を同時に塞ぐことがなく、注出容器に詰替及びこぼれた双方の内容液が流入するようになっている。したがって、上記効果に加えて、より注出容器に内容液をスムーズに詰め替えでき、その詰替過程で内容液が外部にこぼれることが皆無となる。
【００２５】
また、請求項５に規定した本発明の容器は、頂角を６０度未満にし、両底角を６０度超に構成することにより、上記効果が一層すぐれたものになる。
【００２６】
また、請求項６に規定した本発明の容器は、注出容器の注出筒の外径より大の内径である開口部により、注出筒にこれを覆うように被せ装着するように構成されているため、上記効果に加えて、開口部の開封が容易であり、注出筒に開口部を無理なく装着出来、且つ少なくとも注出筒の外径よりも開口部を大きく開いて装着出来るため、開口部が閉塞することがなく、その後の内容液の詰替を短時間にすることが出来るという効果がある。
【００２７】
また、請求項７に規定した本発明の容器は、上記詰替用の袋状容器における開口部を開封用タブにより開封することができるようにしたものであり、請求項５に規定する袋状容器の効果に加えて、開封時の操作性をより向上させることができる。
【００２８】
また、請求項８に規定した本発明の容器は、挿入用タブを手指でつかみこれにより、注出容器の注出筒に詰替用の袋状容器の開口部を挿入することが出来るように構成されている。そのため、挿入用タブは開口部の開封端部から離れているから、手指が内容液に触れることがなく、スムーズに注出筒に開口部を挿入することができる効果がある。
【発明を実施するための最良の形態】
【００２９】
以下に、図面を参照して本発明を実施するための最良の形態を説明する。
【実施例１】
【００３０】
図１は本発明に係る注出容器に詰替用の袋状容器を装着した状態を示す側面図、図２は本発明の注出容器の断面図、図３は本発明の注出容器の平面図、図４は本発明の詰替用の袋状容器の平面図である。
これらの図面において、注出容器１は、容器２と、その口部３に装着する注出キャップ４とからなり、この注出キャップ４は、口部３に装着する注出キャップ部５と、この注出キャップ部５上に立設して上蓋を兼ねる計量キャップ６を装着する外環壁７と、この外環壁７内側に位置し注出キャップ部５に仕切壁８を隔て設けた注出筒９とを有してなり、この注出筒９はその横断面形状を頂角１０が６０度未満で両底角１１、１１が６０度越えの二等辺三角形の砲弾形状とし、且つ注出筒９の端部形状は頂角１０を頂点とし外側に湾曲させた状態で傾斜させて形成してなり、注出筒９に図４に示す詰替用の袋状容器１２の開口部１３を被せ装着しその内容物の詰め替え中、前記した両底角１１により袋状容器１２をロックして抜けずらくしたものである。そして、この注出容器１は、容器２の口部３に注出キャップ４を装着し、さらに注出キャップ４自身の外環壁７に上蓋としての計量キャップ６を装着した状態で使用される。
【００３１】
前記容器２は、胴部２０に取手２１を有し、内容液を前記計量キャップ６にて計量する際、注ぎ易くしている。したがって、内容液は、主に洗剤、柔軟剤、漂白剤、入浴剤などの使用量を計量する性質のものであるが、特に限定されるものではない。そして、容器２の口部３にネジが螺刻されて、注出キャップ４が螺着脱自在に装着されている。この容器２の材質は合成樹脂であり、例示すれば、ポリエチレン、ポリプロピレン、ポリエチレンテレフタレートなどである。
【００３２】
前記注出キャップ４は、その注出キャップ部５が、天板２２とその外周縁に連なる外筒２３とから構成され、外筒２３の内周面にネジ２４が螺刻され、外周面にすべり止め２５が付けられ、上述のように、容器２の口部３に螺着脱自在となっている。
前記外環壁７は、注出キャップ部５の天板２２上に立設し、この外環壁７の外周面にはネジ２６が螺刻され、前記計量キャップ６が螺着脱自在に装着される。
【００３３】
前記仕切壁８は内筒３０とその下端に連なる傾斜底板３１とからなり、この内筒３０は上記注出キャップ部５の外筒２３と相俟って、容器２の口部３を封止する。一方、傾斜底板３１には前記注出筒９が立設し容器２内と連通し、さらに傾斜底板３１は、注出筒９の頂角１０側から両底角１１側に前記容器２のある方向に傾斜し、この傾斜底板３１の最深部から最浅部にかけて複数の孔３２が分散して設けられている。
【００３４】
したがって、仕切壁８の傾斜底板３１内外に流体が流通自在となっているので、注出容器１に詰替用の袋状容器１２の内容液を注ぎ込み詰め替える過程で、上記した複数の孔３２により注出容器１内の空気が置換して、内容液がスムーズに注出容器１内に流入する。その一方で、詰替過程で注出容器１の仕切壁８上に内容液がこぼれ溜まっても、複数の孔３２から注出容器１内に流入して回収される。その際、複数の孔３２は仕切壁８の傾斜底板３１の最深部から最浅部にかけて分散しているから、詰替過程で仕切壁８の傾斜底板３１上にこぼれ溜まった内容液により、全て複数の孔３２を同時に塞ぐことが無く、注出容器１内に詰替及びこぼれた双方の内容液が極めてスムーズに流入して回収される。例えば、動粘度約２００ｍｍ2 ／ｓの洗剤１０００ｍｌを詰め替えるのに、仮に、洗剤２ｍｌが注出容器１の仕切壁８上にこぼれ溜まり、複数の孔３２の開口面積と同面積の一の孔を設けた場合と比較すると、図３のように複数の孔３２が分散している場合は１０秒ほどで詰め替えができるのに、一の孔では３０秒ほどかかる。
【００３５】
この注出筒９は、上述のとおり、注出キャップ部４に仕切壁８を隔て設けられ、その注出筒９の横断面形状は、頂角１０が６０度未満であり、両底角１１が６０度を超えた二等辺三角形の砲弾形状である。頂角１０及び両底角１１は、角を取り丸みを帯びさせ、両二等辺及び底辺に位置する筒壁３３及び３４は外方に湾曲している。そして、注出筒９の端部形状は、頂角１０を頂点とし外側に湾曲させた状態で、両底角１１に向かって傾斜させ形成してなるものである。
【００３６】
したがって、この注出筒９に、これを覆うように開封した後の詰替用の袋状容器１２の開口部１３を差し込むと、頂角１０により柔軟性のある開口部１３を押し開いて行き、覆うような状態で注出筒９に開口部１３を装着することになり、両底角１１により柔軟性のある開口部１３をロックすることになって、抜けずづらくなる。且つ、注出筒９の端部形状が外側に湾曲しているから、その筒壁３３及び３４と開口部１３の内周面との接触面積が増し、その分、液漏れが抑制される。したがって、袋状容器１２から内容液を注出容器１に詰め替える過程で、注出筒９から開口部１３が抜けることによる内容液のこぼれが無くなり、筒壁３３及び３４と開口部１３の内周面との密着不十分による液漏れもしづらくなる。
【００３７】
また、注出筒９の両筒壁３３、３３には、ストッパー３５、３５が設けられ、詰替用の袋状容器１２の装着深さを規制している。したがって、注出容器１の注出筒９に袋状容器１２の開口部１３を装着する際、両筒壁３３のストッパー３５により装着深さを規制することで、袋状容器１２の内容液残量を減らすことができ、ストッパー３５を動支点として袋状容器１２を揺動させ得るから、袋状容器１２内に残った内容液を完全に詰め替えすることができる。
【００３８】
前記詰替用の袋状容器１２は、図４に示すように、流体バリアー性の強い材質の２枚の胴部材用のフィルム４０と１枚の底部材用のフィルム（図示せず）の外周縁をシールしてなるものであり、内容液を収容する胴部４１と内容液を注出する開口部１３とからなり、胴体４１の底４２はスタンディングポーズを取れる構造となっている。そして、この袋状容器１２の開口部１３の内周長さは、注出容器１の注出筒９の外周長さよりも大に形成され、開口部１３を開封した後、注出筒９に開口部１３を覆うように被せるようにしている。したがって、注出筒９に開口部１３を無理なく装着出来、且つ少なくとも注出筒９の外周長さよりも開口部１３を大きく開いて装着出来るから、その後の内容液の詰替作業を短時間にすることが出来る。
【００３９】
また、前記開口部１３には開封用タブ４３が設けられ、さらに、この開封用タブ４３に隣接し且つ内容物の収容側に位置する開口部１３に、注出容器１の注出筒９に挿入を支援するための挿入用タブ４４が設けられている。この構成によって、袋状容器１２の開口部１３を開封用タブ４３により容易に開封でき、注出筒９の外周長さより大の内周長さである開口部１３により、注出筒９にこれを覆うように被せ装着することもできる。その装着の際、挿入用タブ４４を手指でつかみ、開口部１３を注出筒９にスムーズに挿入することができ、その上、挿入用タブ４４は開口部１３の開封端部から離れているから、手指が内容液に触れることも無い。なお、この袋状容器１２の材質は、ポリエチレン、またはポリプロピレンなどの単体または積層フィルムからなる合成樹脂製フィルムであり、層中にガスバリア層等が含まれていてもよい。
【００４０】
また、この開口部１３は、図４の２点鎖線で示すように、その先端部１３ａを内側に湾曲させて切断して開封する。この開口部１３の先端の内側湾曲開口４６により、注出筒９に被せた後の開口部１３をスムーズに押し広げるから、注出筒９に開口部１３を短時間で装着できる。
【００４１】
次に、上記構成になる注出容器１及びその詰替用の袋状容器１２の使用方法について説明する。
注出キャップ４は内容液が充填された容器２の口部３に螺着されて注出容器１を構成し、さらに注出キャップ４の環状壁７には上蓋を兼ねる計量キャップ６が螺着されている。注出容器１における容器２の内容液を使用する場合は、注出キャップ４から計量キャップ６を螺脱して、計量キャップ６に注出キャップ４の注出筒９から内容液を必要量注ぎ入れて使う。容器２の内容液をほぼ消費しきったら、容器２に詰替用の袋状容器１２から内容液を詰め替えることが出来る。
【００４２】
この詰替作業は以下の通りである。
まず、図１の状態の注出容器１における容器２の口部３に螺着している注出キャップ４から計量キャップ６を螺脱し、スタンディングポーズの詰替用の袋状容器１２から、その開封用タブ４３を手指でつかみ、開口部１３の先端部１３ａを内側湾曲開口４６を形成するように切断して開封する（図５参照）。次に、挿入用タブ４４を手指でつかみ、袋状容器１２における開口部１３の内側湾曲開口４４に、注出キャップ４における注出筒９の頂角１０をあてがい、内側湾曲開口４６がストッパー３５に当たるまで差し込む（図６、７参照）。
【００４３】
この状態では、注出筒９の両底角１１により柔軟性のある開口部１３をロックすることになって、抜けずづらくなり、注出筒９の筒壁３３及び３４と開口部１３の内周面との接触面積が増し密着しているから、液漏れもしない。その後、袋状容器１２を傾けながら注出容器１を正立状態にしてから、さらに袋状容器１２を傾けて、内容液４５を開口部１３、注出筒９を通して容器２内に注ぎ込むことができる（図８参照）。この際、例え、内容液４５の粘度が高いものであっても、開口部１３が大きく開口し、複数の孔３２により容器２内の空気を置換しているから、開口部が閉塞することはなく短時間で内容液４５の詰替を終えることができる。
【００４４】
一方、仕切壁８に内容液４５がこぼれ残留しても、傾斜底板３１の最深部から最浅部にかけて分散して設けた複数の孔３２により、内容液４５が容器２内に直ちに戻りつつ、同時に容器２内の空気を置換しているから、袋状容器１２からの内容液４５を詰め替えつつ、仕切壁８にこぼれ残留した内容液４５も容器２内に受け入れ、外部にこぼれることはない。次いで袋状容器１２の内容液４５が無くなったことを確認した後、注出筒９から袋状容器１２を外し、注出キャップ４に計量キャップ６を螺着すれば、詰替作業は終了する。したがって、容器２、注出キャップ４及び計量キャップ６は再利用され、袋状容器１２のみが廃棄処分される。なお、袋状容器１２の内容液４５の確認時に、袋状容器１２に内容液４５がわずかに残留しているような場合には、前記ストッパー３５を動支点として袋状容器１２を揺動させて、袋状容器１２内に残った内容液４５を完全に容器２内に詰め替えすることができる。
【００４５】
以上、本発明の実施例１を説明したが、具体的な構成はこれに限定されず、本発明の要旨を逸脱しない範囲での変更は適宜可能であることは理解されるべきである。
【産業上の利用可能性】
【００４６】
本発明の注出容器及びその詰替用の袋状容器は、内容液の粘度が比較的高く、詰替に時間がかかり、そのためにどうしてもこぼし易くなるような場合に、利用可能性が極めて高くなる。
【図面の簡単な説明】
【００４７】
【図１】容器の口部に注出キャップを装着して本発明の注出容器を形成した状態を示す側面図である。
【図２】本発明の注出容器における注出キャップの断面図である。
【図３】本発明の注出キャップの平面図である。
【図４】本発明の詰替用の袋状容器の正面図である。
【図５】本発明に係る注出容器及び詰替用の袋状容器の正立状態を示す斜視図である。
【図６】本発明に係る注出容器に詰替用の袋状容器の内容液を詰め替える状態を示す斜視図である。
【図７】本発明に係る注出容器に詰替用の袋状容器の内容液を詰め替える状態を示す斜視図である。
【図８】本発明に係る注出容器に詰替用の袋状容器の内容液を詰め替える状態を示す斜視図である。
【図９】従来例の側面図である。
【図１０】従来例の斜視図である。
【図１１】従来例の一部を断面した側面図である。
【図１２】従来例の使用状態を示す側面図である。
【符号の説明】
【００４８】
１                        注出容器
２，ａ                    容器
３，ｂ                    口部
４，ｃ                    注出キャップ
５，                      注出キャップ部
６，ｉ                    計量キャップ
７，ｅ                    外環壁
８，ｋ                    仕切壁
９，ｆ                    注出筒
１０                      頂角
１１                      底角
１２，ｇ                  袋状容器
１３                      開口部
１３ａ                    先端部
２０                      胴部
２１                      取手
２２                      天板
２３                      外筒
２４，２６，ｎ，ｏ        ネジ
２５                      すべり止め
３０                      内筒
３１                      傾斜底板
３２                      孔
３３，３４                筒壁
３５                      ストッパー
４０                      フィルム
４１                      胴体
４２                      底
４３                      開封用タブ
４４                      挿入用タブ
４５                      内容液
４６                      内側湾曲開口
ｄ                        キャップ部
ｈ                        開口注出口
ｊ                        補助注出部材
ｍ                        スリット
ｍ１                      下側
ｍ２                      上側
ｐ                        エアー抜きシール
【図１】
2007191190.tif 000003
【図２】
2007191190.tif 000004
【図３】
2007191190.tif 000005
【図４】
2007191190.tif 000006
【図５】
2007191190.tif 000007
【図６】
2007191190.tif 000008
【図７】
2007191190.tif 000009
【図８】
2007191190.tif 000010
【図９】
2007191190.tif 000011
【図１０】
2007191190.tif 000012
【図１１】
2007191190.tif 000013
【図１２】
2007191190.tif 000014